【事件の表示】
　特許第２６８５７７３号「印字装置及び印字制御方法」の請求項１ないし２に係る特許に対する特許異議の申立てについて、次のとおり決定する。
【結論】
　訂正を認める。
　特許第２６８５７７３号の請求項１ないし２に係る特許を維持する。
【理由】
Ｉ．手続の経緯
　本件特許第２６８５７７３号の発明は、昭和６３年１月１４日に出願され、平成９年８月１５日にその特許権の設定の登録がなされ、渡部廣美より特許異議の申し立てがなされ、取消理由通知がなされ、その指定期間内である平成１１年６月４日に特許請求の範囲及び発明の詳細な説明について訂正請求がなされたものである。
ＩＩ．訂正の適否
（１）訂正の内容
　特許権者が求めている訂正の内容は以下の▲１▼乃至▲４▼のとおりである訂正された文言にアンダーラインを付した。）。
　▲１▼ａ特許請求の範囲の
「（請求項１）ホストコンピュータから出力される文字および印字情報を取込んで印字を行う印字装置において、
　前記ホストコンピュータから取込んだ文字フォントを記憶する文字フォント記憶手段と、
　前記文字フォント記憶手段に記憶された文字フォントに基づいて前記ホストコンピュータから取込んだ印字情報を印字する印字手段と、
　前記文字フォント記憶手段に記憶された文字フォントの種類に関する情報を記憶する文字フォント種類記憶手段と、
　前記ホストコンピュータから文字フォントを取込む際に前記文字フォント種類記憶手段から文字フォントの種類に関する情報を読み出す文字フォント種類読出手段と、
　前記文字フォント種類読出手段により読出された文字フォントの種類に関する情報に基づいて、前記文字フォント記憶手段に記憶された文字フォントの種類と前記ホストコンピュータから取込むべき文字フォントの種類が一致するか否かを判定し、この判定の結果、双方が一致しないと判定された場合に前記ホストコンピュータから文字フォントを取込み前記文字フォント記憶手段に記憶させる文字フォント取込み制御手段とを具備したことを特徴とする印字装置。
（請求項２）ホストコンピュータから出力される印字情報および文字フォントを取込んで印字を行う印字装置の印字制御方法において、
　前記ホストコンピュータから文字フォントを取込む際に、前記印字装置に記憶された文字フォントの種類に関する情報に基づいて、取込むべき文字フォントの種類と既に取込み済みの文字フォントの種類が一致するか否かを判定し、この判定の結果、双方が一致しないと判定された場合は前記ホストコンピュータから文字フォントを取込み、この取込んだ文字フォントに基づいて印字情報の印字を行い、一方、双方が一致すると判断された場合は既に取込み済みの文字フォントに基づいて印字情報の印字を行うことを特徴とする印字制御方法。」
を
「（１）ホストコンピュータから出力される文字および印字情報を取込んで印字を行う印字装置において、
　前記ホストコンピュータから取込んだ文字フォントを記憶する文字フォント記憶手段と、
　前記文字フォント記憶手段に記憶された文字フォントに基づいて前記ホストコンピュータから取込んだ印字情報を印字する印字手段と、
　前記文字フォント記憶手段に記憶された文字フォントの種類に関する情報を記憶する文字フォント種類記憶手段と、
　前記ホストコンピュータから文字フォントを取込む際に前記文字フォント種類記憶手段から文字フォントの種類に関する情報を読み出す文字フォント種類読出手段と、
　前記文字フォント種類読出手段により読出され
前記ホストコンピュータへ出力した
について
の
が前記ホストコンピュータからな
（２）ホストコンピュータから出力される印字情報および文字フォントを取込んで印字を行う印字装置の印字制御方法において、
　前記ホストコンピュータから文字フォントを取込む際に、前記印字装置に記憶された文字フォントの種類に関する情報に基づいて、取込むべき文字フォントの種類と既に取込み済みの文字フォントの種類が一致するか否かについて、双方が一致しないとの判定が前記ホストコンピュータからなされた場合
に
の判定が前記ホストコンピュータからなされた場合に
に訂正する。
▲２▼ｂ発明の詳細な説明の「ホストコンピュータから出力される・・・印字情報の印字を行うことを特徴とするものである。」（公報第２頁第３欄第４６行〜第４欄第２８行）という記載を、
「ホストコンピュータから出力される文字および印字情報を取込んで印字を行う印字装置において、前記ホストコンピュータから取込んだ文字フォントを記憶する文字フォント記憶手段と、前記文字フォント記憶手段に記憶された文字フォントに基づいて前記ホストコンピュータから取込んだ印字情報を印字する印字手段と、前記文字フォント記憶手段に記憶された文字フォントの種類に関する情報を記憶する文字フォント種類記憶手段と、前記ホストコンピュータから文字フォントを取込む際に前記文字フォント種類記憶手段から文字フォントの種類に関する情報を読み出す文字フォント種類読出手段と、前記文字フォント種類読出手段により読出され
前記ホストコンピュータへ出力した
前記
について
の
前記ホストコンピュータからな
に
　また、本発明の印字制御方法は、ホストコンピュータから出力される印字情報および文字フォントを取込んで印字を行う印字装置の印字制御方法において、前記ホストコンピュータから文字フォントを取込む際に、前記印字装置に記憶された文字フォントの種類に関する情報に基づいて、取込むべき文字フォントの種類と既に取込み済みの文字フォントの種類が一致するか否か
について
の
が前記ホストコンピュータからな
に
の判定が前記ホストコンピュータからなされた場合に
に訂正する。
▲３▼ｃ発明の詳細な説明の「印字装置及び印字制御方法によれば・・・その文字フォントのホストコンピュータから印字装置」（公報第２頁第４欄第３０〜３９行）という記載を、
「印字装置及び印字制御方法によれば、ホストコンピュータより新たな文字フォントを取込む際に、この新たな文字フォントの種類と既に印字装置に登録されている文字フォントの種類
が一致しないとの判定がホストコンピュータからなされた
に
との判定がホストコンピュータからなされた
に
に訂正する。
▲４▼ｄ発明の詳細な説明の「印字装置及び印字制御方法によれば・・・その文字フォントのホストコンピュータから印字装置」（公報第３頁第６欄第３１〜３８行）という記載を、
「印字装置及び印字制御方法によれば、ホストコンピュータより新たな文字フォントを取込む際に、この新たな文字フォントの種類と既に印字装置に登録されている文字フォントの種類が
一致するとの判定がホストコンピュータからなされた
には
に訂正する。
（２）訂正の目的の適否、新規事項の有無及び張・変更の存否
　上記（１）の訂正事項ａに関連する記載として願書に添付した明細書（以下「特許明細書」という。）の発明の詳細な説明には、「この通知を受けたホストコンピュータ６は、その文字フォントの種類がこれからホストコンピュータ６により実行されるべき印字動作に用いられる文字フォントの種類と同じであるか否かを判断する（ステップｅ）。」（本件特許公報第３頁第５欄末行〜第６欄第３行）と記載されている。
　また、特許明細書の特許請求の範囲および発明の詳細な説明における「ホストコンピュータから出力される文字および印字情報を取込んで印字を行う印字装置」の記載と特許明細書の発明の詳細な説明の「ホストコンピュータから印字装置へのダウンロード時間」という記載および第１図の記載などからみて、ホストコンピュータとの間で情報を交換して印字を行う印字装置が、どのような情報を入力し、どのような情報を出力するのかをより明りょうにしたものであると認められる。
　また、上記訂正事項ｂ〜ｄは、上記訂正事項ａに伴い、特許請求の範囲の記載と発明の詳細な説明の記載との整合を図るため、発明の詳細な説明の記載を訂正したものであると認められる。
　したがって、上記訂正は、不明りょうな記載の釈明に該当し、新規事項の追加に該当せず、実質的に特許請求の範囲を拡張し、また変更するものでもない。
（３）独立特許要件
（本件発明）
　訂正明細書の請求項１に係る発明（以下、「本件第１発明」という。）および請求項２に係る発明（以下、「本件第２発明」という）は、それぞれ、上記（２）▲１▼の訂正事項ａの特許請求の範囲の請求項１および請求項２に記載された事項により特定されるとおりのものである。
（引用刊行物記載の発明）
　本件第１乃至２発明に対して当審が取消理由通知において引用した刊行物１　（特開昭６０−１６８６５９号公報）には、「本発明は漢字等の多数の文字種の表示・印字等を行なうにあたって特に好適な文字出力装置に関する。」（第１頁右下欄第８行目〜第１０行）および「制御部２２２は文字コード・バッファ２０８から文字コードを読出し、これを用いてＲＯＭ２１２及びＲＡＭ２２４を検索して対応するフォント・パターンを出力メモリ２１６に書込む。これによってＣＲＴディスプレイ装置２１８、プリンタ２２０等への出力が行なわれる。与えられた文字コードに対応するフォント・パターンがＲＯＭ２１２、ＲＡＭ２２４のどちらにも発見できなかった場合、制御部２２２はインタフェース２０６を介してホスト２０２へそのフォント・パターンの転送を要求する。この転送要求はインタフェース２０６に一旦保持され、ホスト２０２から文字出力装置２０４、２４４等に対して行なうポーリングにより取込まれる。なお、割込みによりこの転送要求をホスト２０２へ伝達する等の他の手段をとることもできる。フォント・パターンをホスト２０２から受け取ると、それを出力メモリ２１６とともにＲＡＭ２２４にも書込む。」（第３頁左上欄第７行〜右上欄第６行）と記載され、第２図に文字出力装置のブロック図が記載されている。
　同じく、引用した刊行物２（特開昭５６−４２２７２号公報）には、１文字パターンを記憶しいる文字パターン発生部と、文字パターン発生部に記憶されていない文字の出力が要求されたとき、そのパターン情報を入力し記憶するための外字パターンバッファと、その文字コードと外字パターンバッファの記憶番地との対応を記憶する外字テーブルとを備え、外字テーブルのサーチ、書きかえの機能を備えた文字出力装置」（特許請求の範囲）および「制御部１は文字コードが外字であると外字テーブル５をサーチする。テーブル５にこの外字が登録されていれば、その外字コードに対応する外字パターンバッファアドレステーブル５から取り出し、コードバッファ２へ送る。テーブル５に外字コードが見つからないときはメインの計算機に線８を介してパターン転送要求を出すとともに外字パターンバッファ４のあいているところを外字テーブル５からさがしだす。もしバッファ４がいっぱいであれば不必要な外字コードを見つけてその外字パターンバッファアドレスを決め、外字テーブル５に記入する。次にメインの計算機からパターンが転送されると、外字パターンバッファ４の決定されたアドレスに記憶させる。」（第２頁右上欄第３〜１７行）と記載され、第１図に文字出力装置のブロック図が記載されている。
　同じく、引用した刊行物３（特開昭５９−１５２４８５号公報）には、「印刷プログラム２５は・・・形式化されたテキスト・データ・ストリームで識別されたコード化フォント８０のすべてはプリンタ・フォント表３３４で識別されたコード化フォントと比較される。・・・もしフォントが必要であれば、印刷プログラム２５は論理経路３４０を介して資源マネージャ３４１に進む。資源マネージャ３４１は・・・選択されたコード・ぺ一ジおよびコード化フォントに対応するフォント構成体はそれぞれ論理経路３４３、３４４から３４５を介してプリンタ３０に転送される。」（第２１頁左上欄第１８〜左下欄第８行）と記載され、ＦＩＧ１〜１１図にコンピュータ利用の文書表示システムを説明する図が記載されている。
（対比・判断）
　本件第１発明と上記刊行物１乃至３に記載された発明とを対比すると、上記刊行物１乃至３のいずれにも、本件第１発明を特定する事項である「文字フォント記憶手段に記憶された文字フォントの種類に関する情報を記憶する文字フォント種類記憶手段と、前記ホストコンピュータから文字フォントを取込む際に前記文字フォント種類記憶手段から文字フォントの種類に関する情報を読み出す文字フォント種類読出手段と」を具備すると共に、「文字フォント種類読出手段により読出され前記ホストコンピュータへ出力した文字フォントの種類に関する情報に基づいて、前記文字フォント記憶手段に記憶された文字フォントの種類と前記ホストコンピュータから取込むべき文字フォントの種類が一致するか否かについて、双方が一致しないとの判定が前記ホストコンピュータからなされ」る点について、記載も示唆もされていない。
　また、本件第２発明と上記刊行物１乃至３に記載された発明とを対比すると、上記刊行物１乃至３のいずれにも、本件第２発明を特定する事項である「ホストコンピュータから文字フォントを取込む際に、前記印字装置に記憶された文字フォントの種類に関する情報に基づいて、取込むべき文字フォントの種類と既に取込み済みの文字フォントの種類が一致するか否かについての判定が前記ホストコンピュータからなさ」れる点について記載されておらず又示唆もされていない。
　そして、本件第１乃至２発明は、これらの点をそれぞれ備えることにより、明細書に記載された「ホストコンピュータより新たな文字フォントを取込む際に、この新たな文字フォントの種類と既に印字装置に登録されている文字フォントの種類が一致するとの判定がホストコンピュータからなされた場合には新たにホストコンピュータより文字フォントを取込まず、既に登録されている文字フォントを用いて印字を行うことにより、その文字フォントのホストコンピュータから印字装置へのダウンロード時間を省くことを可能とすることで、印字処理の高効率化を図ることができる」という顕著な効果を奏するものと認める。
　ゆえに、本件第１乃至２発明は、上記刊行物１乃至３に記載された発明に基づいて容易に発明をすることができたものとはいえない。
　したがって、本件発明は、特許出願の際独立して特許を受けることができるものと認める。
　なお、異議申し立ての理由についての判断は後述する。
▲３▼むすび
　以上のとおりであるから、上記訂正は、特許法１２０条の４第２項及び同条第３項で準用する第１２６条第２乃至４項の規定に適合するので、当該訂正を認める。
ＩＩＩ．特許異議申し立てについての判断
（１）申立の理由の概要
　異議申立人渡部廣美は、甲第１号証（特開昭６０−１６８６５９号公報＝上記刊行物１）、甲第２号証（特開昭５６−４２２７２号公報＝上記刊行物２）および甲第３号証（特開昭５９−１５２４８５号公報＝上記刊行物３）を提出し、本件特許請求の範囲の請求項１乃至２に係る発明は、甲第１乃至３号証に記載された発明に基づいて当業者が容易に発明をすることができた旨主張する（主張Ａ）とともに、特許請求の範囲の請求項１に記載された構成要件である「文字フォント取込み制御手段」および特許請求の範囲の請求項２に記載された構成要件である「文字フォントを取り込む」工程が、発明の詳細な説明に記載されていなく、本件請求項１乃至２に係る発明の特許は、その明細書が特許法第３６条第４項に規定する要件を満たしていない出願に対してなされたもである旨主張（主張Ｂ）している。
（３）判断
▲１▼主張Ａについて
　異議申立人が提出した甲第１乃至３号証は、上記ＩＩ（３）の（引用刊行物）の刊行物１乃至３と同一であるから、その判断も上記ＩＩ（３）のとおりである。
　異議申立人は、この主張に関して、文字フォントの種類に関する情報について、甲第１号証（＝上記刊行物１）に示唆されており、甲第２号証（＝上記刊行物２）には明確に記載されている旨主張をしている。
　そこで、この主張についても検討すると、
　甲第１号証（＝上記刊行物１）には、上記した記載から、与えられた文字コードに対応するフォントパターンがＲＡＭ２２４にあるか否かを判定することおよびその判定を行うに際して、ＲＡＭ２２４内で各文字コードの各フォントパターンを特定するためのものがあることが示唆されているまた、甲第２号証（上記刊行物２）には、上記した記載から、「文字コードと外字パターンバッファの記憶番地との対応を記憶する外字テーブル」が記載されていると認められるものの、いずれも、文字コードに対する個々の文字フォント乃至文字フォントパターンに関するものであって、文字フォントの種類に関するものでない。
　なぜならば、「種類」とは、一般に、いくつかの個体に共通な性質によって分類してまとめたものをいうのであって、「文字フォントの種類」とは個々の文字フォントではなくて、いくつかの字フォントをまとめたものを指示しているからである。
　従って、上記主張は採用できない。
▲２▼主張Ｂについて、
　本件請求項１及び２に係る発明は、上記ＩＩ
（１）▲１▼乃至▲４▼の訂正により明確となったから、本件請求項１及び２に係る発明の特許は、特許法第３６条に規定する要件を満たす特許出願に対してなされたものである。
（４）むすび
　以上のとおりであるから、特許異議申し立ての理由及び証拠方法によっては、本件請求項１乃至２に係る発明の特許を取り消すことができない。
　また、他に本件請求項１乃至２に係る発明の特許を取り消すべき理由を発見しない。
　よって、結論のとおり決定する。
【異議決定日】
平成１１年６月２１日（１９９９．６．２１）
【訂正の要旨】
訂正の要旨
ａ．特許請求の範囲を
「２．特許請求の範囲
（１）ホストコンピュータから出力される文字および印字情報を取込んで印字を行う印字装置において、
　前記ホストコンピュータから取込んだ文字フォントを記憶する文字フォント記憶手段と、
　前記文字フォント記憶手段に記憶された文字フォントに基づいて前記ホストコンピュータから取込んだ印字情報を印字する印字手段と、
　前記文字フォント記憶手段に記憶された文字フォントの種類に関する情報を記憶する文字フォント種類記憶手段と、
　前記ホストコンピュータから文字フォントを取込む際に前記文字フォント種類記憶手段から文字フォントの種類に関する情報を読み出す文字フォント種類読出手段と、
　前記文字フォント種類読出手段により読出され
前記ホストコンピュータへ出力
（２）ホストコンピュータから出力される印字情報および文字フォントを取込んで印字を行う印字装置の印字制御方法において、
　前記ホストコンピュータから文字フォントを取込む際に、前記印字装置に記憶された文字フォントの種類に関する情報に基づいて、取込むべき文字フォントの種類と既に取込み済みの文字フォントの種類が一致するか否か
について
の
が前記ホストコンピュータからな
に
ｂ．明細書第４頁第１２行目乃至第５頁第１４
行目記載「ホストコンピュータから出力される〜印字情報の印字を行うことを特徴とするものである。」を、「ホストコンピュータから出力される文字および印字情報を取込んで印字を行う印字装置において、前記ホストコンピュータから取込んだ文字フォントを記憶する文字フォント記憶手段と、前記文字フォント記憶手段に記憶された文字フォントに基づいて前記ホストコンピュータから取込んだ印字情報を印字する印字手段と、前記文字フォント記憶手段に記憶された文字フォントの種類に関する情報を記憶する文字フォント種類記憶手段と、前記ホストコンピュータから文字フォントを取込む際に前記文字フォント種類記憶手段から文字フォントの種類に関する情報を読み出す文字フォント種類読出手段と、前記文字フォント種類読出手段により読出され前記ホストコンピュータへ出力した文字フォントの種類に関する情報に基づいて、前記文字フォント記憶手段に記憶された文字フォントの種類と前記ホストコンピュータから取込むべき文字フォントの種類が一致するか否かについて、双方が一致しないとの判定が前記ホストコンピュータからなされた場合には前記ホストコンピュータから文字フォントを取込み前記文字フォント記憶手段に記憶させる文字フォント取込み制御手段とを具備してなるものである。
　また、本発明の印字制御方法は、ホストコンピュータから出力される印字情報および文字フォントを取込んで印字を行う印字装置の印字制御方法において、
　前記ホストコンピュータから文字フォントを取込む際に、前記印字装置に記憶された文字フォントの種類に関する情報に基づいて、取込むべき文字フォントの種類と既に取込み済みの文字フォントの種類が一致するか否かについて、双方が一致しないとの判定が前記ホストコンピュータからなされた場合には前記ホストコンピュータから文字フォントを取込み、この取込んだ文字フォントに基づいて印字情報の印字を行い、一方、双方が一致するとの判定が前記ホストコンピュータからなされた場合には既に取込み済みの文字フォントに基づいて印字情報の印字を行うことを特徴とするものである。」と訂正する。
ｃ．明細書の第５頁第１６行目乃至第６頁第１
８行目記載「印字装置及び印字制御方法によれば〜その文字フォントのホストコンピュータから印字装置」を、「印字装置及び印字制御方法によれば、ホストコンピュータより新たな文字フォントを取込む際に、この新たな文字フォントの種類と既に印字装置に登録されている文字フォントの種類が一致しないとの判定がホストコンピュータからなされた場合にはホストコンピュータから文字フォントを取込んでこの文字フォントで印字を行い、一致するとの判定がホストコンピュータからなされた場合には新たにホストコンピュータより文字フォントを取込まず、既に登録されている文字フォントを用いて印字を行うことにより、その文字フォントのホストコンピュータから印字装置」と訂正する。
ｄ．明細書の第１２頁第３行目乃至同頁第９行
目記載「印字装置及び印字制御方法によれば〜その文字フォントのホストコンピュータから印字装置」を、「印字装置及び印字制御方法によれば、ホストコンピュータより新たな文字フォントを取込む際に、この新たな文字フォントの種類と既に印字装置に登録されている文字フォントの種類が一致するとの判定がホストコンピュータからなされた場合には新たにホストコンピュータより文字フォントを取込まず、既に登録されている文字フォントを用いて印字を行うことにより、その文字フォントのホストコンピュータから印字装置」と訂正する。
（５４）【発明の名称】
印字装置および印字制御方法
（５７）【特許請求の範囲】
（１）ホストコンピュータから出力される文字および印字情報を取込んで印字を行う印字装置において、
　前記ホストコンピュータから取込んだ文字フォントを記憶する文字フォント記憶手段と、
　前記文字フォント記憶手段に記憶された文字フォントに基づいて前記ホストコンピュータから取込んだ印字情報を印字する印字手段と、
　前記文字フォント記憶手段に記憶された文字フォントの種類に関する情報を記憶する文字フォント種類記憶手段と、
　前記ホストコンピュータから文字フォントを取込む際に前記文字フォント種類記憶手段から文字フォントの種類に関する情報を読み出す文字フォント種類読出手段と、
　前記文字フォント種類読出手段により読出され
前記ホストコンピュータへ出力し
前記
について
の
前記ホストコンピュータからな
は
（２）ホストコンピュータから出力される印字情報および文字フォントを取込んで印字を行う印字装置の印字制御方法において、
　前記ホストコンピュータから文字フォントを取込む際に、前記印字装置に記憶された文字フォントの種類に関する情報に基づいて、取込むべき文字フォントの種類と既に取込み済みの文字フォントの種類が一致するか否か
について
の
が前記ホストコンピュータからな
に
の判定が前記ホストコンピュータからなされた場合に
【発明の詳細な説明】
　［発明の目的］
　　（産業上の利用分野）
　本発明は、複数のホストコンピュータにより共有可能な印字装置及び印字制御方法に関する。
　　（従来の技術）
　従来からプリンタにおいては、文字フォントをホストコンピュータよりダウンロードし、この文字フォントを用いて印字を実行する機能を持つプリンタがある。
　この種のプリンタは、特に複数のホストコンピュータと接続して用いられ、いずれかのホストコンピュータを選択して電気的に接続することにより、この接続されたホストコンピュータからこれから行う印字に用いるべき文字フォントがプリンタにダウンロードされ、これに続いて印字データが転送されてプリンタの印字動作が実行されるようになっている。
　しかしながら、上述した従来からのプリンタシステムには次のような課題があった。
すなわち、ホストコンピュータからプリンタへの文字フォントのローディングは、ホストコンピュータが切換えられる度無条件に実行されるため、文字フォントの変更を要さない印字を行うためのホストコンピュータの切換えにおいても文字フォントのローディングが自動的になされる。
　したがって、プリンタの処理動作において無駄なローディング時間がかかることになり、印字処理効率の低下を招くという課題があった。
　　（発明が解決しようとする課題）
　本発明は上述した従来のプリンタシステムの課題を解決するためのもので、プリンタに接続しで使用されるホストコンピュータが切換わっても、同一の文字フォントを用いて印字を行う場合においては、既に文字フォント記憶手段に記憶されている文字フォントを用いて印字を行うようにし、ホストコンピュータからプリンクへの文字フォントのダウンロード時間を省くことを可能とすることで、印字処理の高効率化を図ることのできる印字装置及び印字制御方法の提供を目的とする。
　［発明の構成］
　　（課題を解決するための手段）
　本発明は上記目的を達成するために、ホストコンピュータから出力される文字および印字情報を取込んで印字を行う印字装置において、前記ホストコンピュータから取込んだ文字フォントを記憶する文字フォント記憶手段と、前記文字フォント記憶手段に記憶された文字フォントに基づいて前記ホストコンピュータから取込んだ印字情報を印字する印字手段と、前記文字フォント記憶手段に記憶された文字フォントの種類に関する情報を記憶する文字フォント種類記憶手段と、前記ホストコンピュータから文字フォントを取込む際に前記文字フォント種類記憶手段から文字フォントの種類に関する情報を読み出す文字フォント種類読出手段と、前記文字フォント種類読出手段により読出され
前記ホストコンピュータへ出力し
について
が前記ホストコンピュータからな
は
　また、本発明の印字制御方法は、ホストコンピュータから出力される印字情報および文字フォントを取込んで印字を行う印字装置の印字制御方法において、
　前記ホストコンピュータから文字フォントを取込む際に、前記印字装置に記憶された文字フォントの種類に関する情報に基づいて、取込むべき文字フォントの種類と既に取込み済みの文字フォントの種類が一致するか否か
について
の
が前記ホストコンピュータからな
の判定が前記ホストコンピュータからなされた場合に
　　（作　用）
　本発明の印字装置及び印字制御方法によれば、ホストコンピュータより新たな文字フォントを取込む際に、この新たな文字フォントの種類と既に印字装置に登録されている文字フォントの種類
が一致しないとの判定がホストコンピュータからなされた
に
との判定がホストコンピュータからなされた
に
　　（実施例）
　以下、本発明の実施例を図面に基づいて詳細に説明する。
　第１図は本発明の印字装置及び印字制御方法を適用した一実施例のプリンタシステムの構成を示すブロック図である。
　同図において１はプリンタを示しており、２はこのプリンタ１の実行プログラムが格納されたＲＯＭ、３はＲＯＭ２に格納された実行プログラムに従ってプリンタの制御を行うＣＰＵである。４は複数のホストコンピュータ５、６、７、８とのデータの入出力を制御するインターフェース部、９はホストコンピュータ５、６、７、８からインターフェース部４を介して入力された印字データやその他プリンタの印字動作を制御するためのデータを一時的に格納するデータバッファである。また１０はホストコンピュータ５、６、７、８の所定の記憶部（図示せず）からダウンロードされた文字フォントを記憶する文字フォント記憶部、１１は文字フォント記憶部１０に記憶された文字フォントの種類を記憶する文字フォント種記憶部、１２は文字フォント記憶部１０に記憶された文字フォントを用いてデータバッファ９に格納された印字データをヘッドピン用のデータとして展開する印字メモリである。さらにこのプリンタ１は以上の構成部の他に、印字メモリ１２に展開された印字データに基づいて印字ヘッドを駆動制御するヘッド駆動回路、印字ヘッドを搭載したキャリッジを印字動作に伴って駆動制御するキャリッジ駆動回路、キャリッジモータなどを備えて構成されている。
　次にこの実施例のプリンタシステムにおいて代表される動作について第２図のフローチャートを参照しながら説明する。
　このプリンタシステムの初期動作において、ホストコンピュータ５からの印字データに基づく印字動作を実行する場合は、まず、このホストコンピュータ５の所定の記憶部から文字フォント記憶部１０に文字フォントをダウンロードする。またこれと同時に文字フォント種記憶部１１に、文字フォント記憶部１０に記憶された文字フォントの種類が登録される。この後、ホストコンピュータ５からインターフェース部４を介して印字データが転送され、これをデータバッファ９に一時格納する。そしてこのデータバッファ９に格納された印字データを文字フォント記憶部１０に記憶された文字フォントを用いてヘッドピン用の文字データに交換して印字メモリ１２に展開する。この後、ＣＰＵ３はこの印字メモリ１２の内容に基づいてヘッド駆動回路を制御するとともにキャリッジ駆動回路やその他の駆動回路を制御して実際の印字を実行する。
　以上のホストコンピュータ５からの印字データに基づくプリンタ１の印字動作が終了した後、次に別のホストコンピュータ６によるプリンタ１の印字動作を行う場合は、まずホストコンピュータ６からプリンタ１に対して接続要求の信号を送出する（ステップａ）。
　そしてプリンタ１においてこの接続要求が受け入れられた後（ステップｂ）、次にホストコンピュータ６からプリンタ１に対し、文字フォント記憶部１０に記憶されている文字フォントの種類をホストコンピュータ６に通知するよう要求する信号を送出する（ステップｃ）。
　これによりＣＰＵ３は文字フォント種記憶部１１に登録されている内容を読出してこれをホストコンピュータ６に通知する（ステップｄ）。
　この通知を受けたホストコンピュータ６は、その文字フォントの種類がこれからホストコンピュータ６により実行されるべき印字動作に用いられる文字フォントの種類と同じであるか否かを判断する（ステップｅ）。
　そして同じ種類の文字フォントであることが判断された場合は、ホストコンピュータ６からプリンタ１への文字フォントのダウンロードを行うことなく、印字データをプリンタ１に転送して（ステップｇ）、プリンタ１に文字フォント記憶部１０に記憶された文字フォントを用いた印字動作の実行にかからせる（ステップｈ）。
　また、種類の異なる文字フォントであることが判断された場合は、これから行われるべき印字動作に用いられる文字フォントをホストコンピュータ６からプリンタ１にダウンロードし（ステップｆ）、文字フォント記憶部１０にその文字フォントを格納する。これと同時に文字フォント種記憶部１１の内容も更新される。
　この後、ホストコンピュータ６からプリンタ１に印字データが転送され（ステップｇ）、以降上述したように文字フォント記憶部１０に記憶された文字フォントを用いた通常の印字動作の実行がなされる（ステップｈ）。
　かくしてこの実施例のプリンタシステムによれば、ホストコンピュータ５、６、７、８の接続が切換えられても、直前の印字処理において使用していた文字フォントと同一の文字フォントを用いる印字を行う場合は、切換えられたホストコンピュータ５、６、７、８からの文字フォントのダウンロードを行わずに、既に文字フォント記憶部１０に記憶された文字フォントを用いてプリンタ１の印字動作を実行することが可能となり、この結果、プリンタ１における印字処理の効率アップを図ることができる。
　［発明の効果］
　以上説明したように本発明の印字装置及び印字制御方法によれば、ホストコンピュータより新たな文字フォントを取込む際に、この新たな文字フォントの種類と既に印字装置に登録されている文字フォントの種類
が一致するとの判定がホストコンピュータからなされた
【図面の簡単な説明】
　第１図は本発明の一実施例のプリンタシステムの構成を説明するためのブロック図、第２図は第１図のプリンタシステムの動作を示すフローチャートである。
　１……プリンタ、２……ＲＯＭ、３……ＣＰＵ１４……インターフェース部、５、６、７、８……ホストコンピュータ、１０……文字フォント記憶部、１１……文字フォント種記憶部。